(57)【要約】【課題】気流に基づく障子による開口の開閉幅を所望幅に調節することができ、気流に基づく障子による開口の開閉と、障子の位置を保持することによる開口の強制的な閉鎖とを操作により切り替えることができる窓開閉装置を提供すること。【解決手段】窓開閉装置１は、窓枠２と、窓枠２に画成された開口３を開閉する障子４と、鉛直方向Ｖにおける障子４の部位３１を窓枠２に対して回転自在に連結している連結機構１８と、鉛直方向Ｖにおける障子４の部位３３を前後方向Ｘにおいて移動自在に窓枠２に対して連結している連結機構１９と、連結機構１９を介して障子４による開口３の開閉を操作する開閉操作機構２０とを具備している。【選択図】図１
2010196418.tif 000002
【特許請求の範囲】
【請求項１】
建物に装着される枠体と、枠体に画成された開口に配されていると共に当該開口を開閉する障子と、この障子が開口を開閉自在となるように、上下方向における障子の一方側の部位を枠体に対して回転自在に連結している第一の連結機構と、上下方向における障子の他方側の部位を前後方向において移動自在に枠体に対して連結している第二の連結機構と、第二の連結機構を介して障子による開口の開閉を操作する開閉操作機構とを具備しており、第二の連結機構は、上下方向における障子の他方側の部位及び枠体の夫々に回転自在に連結されている回動自在な第一の連結部材と、第一の連結部材の回動に伴う枠体に対する揺動を案内するように枠体に設けられている案内路と、第一の連結部材の回動に伴って回動を生じるように、第一の連結部材の障子に対する回転軸心及び枠体に対する回転軸心間の部位並びに当該部位に対して上下方向において第一の連結部材の障子に対する回転軸心側に位置する枠体の他の部位の夫々に回転自在に連結されている第二の連結部材とを具備しており、開閉操作機構は、第二の連結部材に設けられていると共に、第二の連結部材の一方の回動に基づいて前後方向において一方側に変位するように回動する一方、第二の連結部材の他方の回動に基づいて前後方向において他方側に変位するように回動する回動部と、操作により回動部に対して上下方向に移動する上下動部材と、前後方向において他方側に変位した回動部に対して上下動部材の上下方向の一方の移動に基づいて当接するように上下動部材に設けられた当接部と、当接部に対して前後方向において一方側に位置するように上下動部材に設けられていると共に前後方向において一方側に変位した回動部の回動を禁止すべく上下動部材の上下方向の一方の移動に基づいて当該回動部に係合する係合部と、前後方向において一方側に変位した回動部に上下動部材の上下方向の移動に基づいて当接する一方、前後方向において他方側に変位した回動部に対して前後方向において離反するように上下動部材に回転自在に設けられた爪車とを具備しており、爪車は、前後方向において一方側に変位した回動部を前後方向において他方側に案内すべく当該回動部に対する上下動部材の上下方向の他方の移動に基づく当接においては回転が禁止される一方、前後方向において一方側に変位した回動部に対する上下動部材の上下方向の一方の移動を許容すべく当該回動部に対する上下動部材の上下方向の一方の移動に基づく当接においては回転するように上下動部材に設けられている窓開閉装置。
【請求項２】
爪車は、所定回転位置において上下動部材に支持されており、その自重により所定回転位置に向かう回転モーメントを生じるように上下動部材に設けられている請求項１に記載の窓開閉装置。
【請求項３】
爪車は、所定回転位置において上下動部材に支持されており、前後方向において一方側に変位した回動部に対する上下動部材の上下方向の一方の移動に基づく当接によって回転する爪車の当該回転に抗して当該爪車を所定回転位置に復帰させるべく付勢する付勢部材を具備している請求項１に記載の窓開閉装置。
【請求項４】
当接部に対して回動部の上下方向に関する揺動を許容する揺動許容幅をもって配されていると共に回動部に対して上下動部材の上下方向の他方の移動に基づいて当接するように上下動部材に設けられた他の当接部を具備しており、爪車は、当接部と他の当接部との間に配設されている請求項１から３のいずれか一項に記載の窓開閉装置。
【請求項５】
開閉操作機構は、上下動部材の上下方向における移動に基づいて障子に開口を開閉させるべく、操作により上下動部材を上下方向に移動させる移動操作機構とを具備しており、移動操作機構は、上下動部材が固着されていると共に枠体に沿って配設されている可撓性を有した長尺体と、この長尺体を上下方向に案内する案内部材と、長尺体を走行させる走行手段とを具備している請求項１から４のいずれか一項に記載の窓開閉装置。
【請求項６】
回動部は、障子が開口を閉鎖する際に生じる第二の連結部材の一方の回動に基づいて前方側に変位する一方、障子が開口を開放する際に生じる第二の連結部材の他方の回動に基づいて後方側に変位するように、第二の連結部材に設けられており、当接部は、後方側に変位した回動部に対して上下動部材の下方に向かう移動に基づいて当接するように上下動部材に設けられており、係合部は、当接部に対して前方側に位置するように上下動部材に設けられていると共に前方側に変位した回動部の回動を禁止すべく上下動部材の下方に向かう移動に基づいて当該回動部に係合するようになっており、他の当接部は、回動部に対して上下動部材の上方に向かう移動に基づいて当接するように上下動部材に設けられており、爪車は、前方側に変位した回動部を後方側に案内すべく当該回動部に対する上下動部材の上下方向の上方に向かう移動に基づく当接においては回転が禁止される一方、前方側に変位した回動部に対する上下動部材の下方の移動を許容すべく当該回動部に対する上下動部材の下方の移動に基づく当接においては回転するように、且つ、後方側に変位した回動部に対して前後方向において離反するように、上下動部材に設けられている請求項１から５のいずれか一項に記載の窓開閉装置。
【発明の詳細な説明】
【技術分野】
【０００１】
本発明は、障子の開閉移動により建物の開口を開閉させる窓開閉装置に関する。
【背景技術】
【０００２】
例えば特許文献１においては、障子の上部を窓枠に対して昇降自在に連結している連結機構と、障子の前記上部に対して下方に配される障子の他の部位を窓枠に対して前後方向に移動自在に連結している連結機構とを具備しており、障子自体の重心及び障子の他の部位の相互位置との関係において障子に開口開放位置に向かう移動力を生じさせる窓開閉装置が提案されている。斯かる窓開閉装置は、気流に基づいて障子が開口に対して開閉移動するようになっている。
【先行技術文献】
【特許文献】
【０００３】
【特許文献１】特開２０００−１６０９２２号公報
【発明の概要】
【発明が解決しようとする課題】
【０００４】
ところで、斯かる窓開閉装置では、気流に基づく障子による開口の開閉幅を所望幅に調節することが困難である。また、斯かる窓開閉装置では、気流に基づく障子による開口の開閉と、障子の位置を保持することによる開口の強制的な閉鎖とを操作により切り替えることは困難である。
【０００５】
本発明は、上記諸点に鑑みてなされたものであり、その目的とするところは、気流に基づく障子による開口の開閉幅を所望幅に調節することができ、気流に基づく障子による開口の開閉と、障子の位置を保持することによる開口の強制的な閉鎖とを操作により切り替えることができる窓開閉装置を提供することにある。
【課題を解決するための手段】
【０００６】
本発明の窓開閉装置は、建物に装着される枠体と、枠体に画成された開口に配されていると共に当該開口を開閉する障子と、この障子が開口を開閉自在となるように、上下方向における障子の一方側の部位を枠体に対して回転自在に連結している第一の連結機構と、上下方向における障子の他方側の部位を前後方向において移動自在に枠体に対して連結している第二の連結機構と、第二の連結機構を介して障子による開口の開閉を操作する開閉操作機構とを具備しており、第二の連結機構は、上下方向における障子の他方側の部位及び枠体の夫々に回転自在に連結されている回動自在な第一の連結部材と、第一の連結部材の回動に伴う枠体に対する揺動を案内するように枠体に設けられている案内路と、第一の連結部材の回動に伴って回動を生じるように、第一の連結部材の障子に対する回転軸心及び枠体に対する回転軸心間の部位並びに当該部位に対して上下方向において第一の連結部材の障子に対する回転軸心側に位置する枠体の他の部位の夫々に回転自在に連結されている第二の連結部材とを具備しており、開閉操作機構は、第二の連結部材に設けられていると共に、第二の連結部材の一方の回動に基づいて前後方向において一方側に変位するように回動する一方、第二の連結部材の他方の回動に基づいて前後方向において他方側に変位するように回動する回動部と、操作により回動部に対して上下方向に移動する上下動部材と、前後方向において他方側に変位した回動部に対して上下動部材の上下方向の一方の移動に基づいて当接するように上下動部材に設けられた当接部と、当接部に対して前後方向において一方側に位置するように上下動部材に設けられていると共に前後方向において一方側に変位した回動部の回動を禁止すべく上下動部材の上下方向の一方の移動に基づいて当該回動部に係合する係合部と、前後方向において一方側に変位した回動部に上下動部材の上下方向の移動に基づいて当接する一方、前後方向において他方側に変位した回動部に対して前後方向において離反するように上下動部材に回転自在に設けられた爪車とを具備しており、爪車は、前後方向において一方側に変位した回動部を前後方向において他方側に案内すべく当該回動部に対する上下動部材の上下方向の他方の移動に基づく当接においては回転が禁止される一方、前後方向において一方側に変位した回動部に対する上下動部材の上下方向の一方の移動を許容すべく当該回動部に対する上下動部材の上下方向の一方の移動に基づく当接においては回転するように上下動部材に設けられている。
【０００７】
本発明の窓開閉装置によれば、特に、開閉操作機構は、第二の連結部材に設けられていると共に、第二の連結部材の一方の回動に基づいて前後方向において一方側に変位するように回動する一方、第二の連結部材の他方の回動に基づいて前後方向において他方側に変位するように回動する回動部と、操作により回動部に対して上下方向に移動する上下動部材と、前後方向において他方側に変位した回動部に対して上下動部材の上下方向の一方の移動に基づいて当接するように上下動部材に設けられた当接部と、当接部に対して前後方向において一方側に位置するように上下動部材に設けられていると共に前後方向において一方側に変位した回動部の回動を禁止すべく上下動部材の上下方向の一方の移動に基づいて当該回動部に係合する係合部と、前後方向において一方側に変位した回動部に上下動部材の上下方向の移動に基づいて当接する一方、前後方向において他方側に変位した回動部に対して前後方向において離反するように上下動部材に回転自在に設けられた爪車とを具備しており、爪車は、前後方向において一方側に変位した回動部を前後方向において他方側に案内すべく当該回動部に対する上下動部材の上下方向の他方の移動に基づく当接においては回転が禁止される一方、前後方向において一方側に変位した回動部に対する上下動部材の上下方向の一方の移動を許容すべく当該回動部に対する上下動部材の上下方向の一方の移動に基づく当接においては回転するように上下動部材に設けられているために、上下動部材を上下方向の他方に移動させて回動部と係合部との係合を解除することで、気流に基づく障子による開口の開閉を自在な状態にすることができ、しかも、上下動部材を上下方向の一方に移動させて当接部を変位させることで、気流に基づく障子による開口の開閉幅を所望幅に調節することができ、また、気流に基づく障子による開口の開閉と、障子の位置を保持することによる開口の強制的な閉鎖とを操作により切り替えることができる。
【０００８】
本発明の窓開閉装置では、爪車は、所定回転位置において上下動部材に支持されており、その自重により所定回転位置に向かう回転モーメントを生じるように上下動部材に設けられていてもよく、斯かる事項に加えて又は代えて、爪車は、所定回転位置において上下動部材に支持されており、前後方向において一方側に変位した回動部に対する上下動部材の上下方向の一方の移動に基づく当接によって回転する爪車の当該回転に抗して当該爪車を所定回転位置に復帰させるべく付勢する付勢部材を具備していてもよい。
【０００９】
本発明の窓開閉装置では、当接部に対して回動部の上下方向に関する揺動を許容する揺動許容幅をもって配されていると共に回動部に対して上下動部材の上下方向の他方の移動に基づいて当接するように上下動部材に設けられた他の当接部を具備していてもよく、爪車は、当接部と他の当接部との間に配設されていてもよい。斯かる窓開閉装置によれば、操作により上下動部材を上下方向に移動させて回動部を当接部及び他の当接部間に位置させることで、当該回動部の上下方向における揺動許容幅の範囲内における揺動を許容して障子の移動を許容することができ、また、上下動部材を上下方向の他方に移動させて他の当接部を変位させることで、気流に基づく障子による開口の開閉幅を所望幅に調節することができ、加えて、上下動部材を上下方向の一方に移動させて当接部を変位させることで障子による開口の最大開放幅及び最大閉鎖幅のうちの一方を所望に強制的に狭めることができ且つ上下動部材を上下方向の他方に移動させて他の当接部を変位させることで障子による開口の最大開放幅及び最大閉鎖幅のうちの他方を所望に強制的に狭めることができる。また、斯かる窓開閉装置によれば、気流に基づく障子４による開口３の開閉と、障子４の位置を保持することによる開口３の強制的な開放とを操作により切り替えることができる。
【００１０】
本発明の窓開閉装置では、開閉操作機構は、上下動部材の上下方向における移動に基づいて障子に開口を開閉させるべく、操作により上下動部材を上下方向に移動させる移動操作機構とを具備していてもよく、移動操作機構は、上下動部材が固着されていると共に枠体に沿って配設されている可撓性を有した長尺体と、この長尺体を上下方向に案内する案内部材と、長尺体を走行させる走行手段とを具備していてもよい。斯かる窓開閉装置によれば、移動操作機構を枠体から突出させることなく配設し得る。
【００１１】
本発明の窓開閉装置では、回動部は、障子が開口を閉鎖する際に生じる第二の連結部材の一方の回動に基づいて前方側に変位する一方、障子が開口を開放する際に生じる第二の連結部材の他方の回動に基づいて後方側に変位するように、第二の連結部材に設けられており、当接部は、後方側に変位した回動部に対して上下動部材の下方に向かう移動に基づいて当接するように上下動部材に設けられており、係合部は、当接部に対して前方側に位置するように上下動部材に設けられていると共に前方側に変位した回動部の回動を禁止すべく上下動部材の下方に向かう移動に基づいて当該回動部に係合するようになっており、他の当接部は、回動部に対して上下動部材の上方に向かう移動に基づいて当接するように上下動部材に設けられており、爪車は、前方側に変位した回動部を後方側に案内すべく当該回動部に対する上下動部材の上下方向の上方に向かう移動に基づく当接においては回転が禁止される一方、前方側に変位した回動部に対する上下動部材の下方の移動を許容すべく当該回動部に対する上下動部材の下方の移動に基づく当接においては回転するように、且つ、後方側に変位した回動部に対して前後方向において離反するように、上下動部材に設けられていてもよい。
【発明の効果】
【００１２】
本発明によれば、気流に基づく障子による開口の開閉幅を所望幅に調節することができ、気流に基づく障子による開口の開閉と、障子の位置を保持することによる開口の強制的な閉鎖とを操作により切り替えることができる窓開閉装置を提供し得る。
【図面の簡単な説明】
【００１３】
【図１】本発明の実施の形態の例の側面視断面説明図である。
【図２】図１に示す例の開口閉鎖状態の側面視断面説明図である。
【図３】図２に示す例の障子を省いた側面視断面説明図である。
【図４】図２に示す例の一部の平面視断面説明図である。
【図５】図１に示す例の展開斜視説明図である。
【図６】図１に示す例の動作説明図である。
【図７】（ａ）及び（ｂ）は図１に示す例の主に開閉操作機構の説明図である。
【図８】（ａ）及び（ｂ）は図１に示す例の主に他の開閉操作機構の説明図である。
【発明を実施するための形態】
【００１４】
次に本発明を、図に示す好ましい実施の形態の例に基づいて更に詳細に説明する。なお、本発明はこれら例に何等限定されないのである。
【実施例】
【００１５】
図１から図７において、本例の窓開閉装置１は、建物（図示せず）に装着される枠体としての窓枠２と、窓枠２に画成された開口３に配されていると共に当該開口３を開閉する障子４と、障子４が開口３を開閉自在となるように、上下方向における障子４の一方側の部位、本例では鉛直方向Ｖにおける障子４の上側の部位３１を窓枠２に対して回転自在に連結している第一の連結機構１８と、上下方向における障子の他方側の部位、本例では鉛直方向Ｖにおける障子４の下側の部位３３を前後方向Ｘにおいて移動自在に窓枠２に対して連結している第二の連結機構１９と、連結機構１９を介して障子４による開口３の開閉を操作する開閉操作機構２０とを具備している。
【００１６】
窓開閉装置１は、障子４の開口開放位置に向かう前方移動により図１に示すように開口３を開き、障子４の開口閉鎖位置に向かう後方移動により図２に示すように開口３を閉じるようになっている。図６は、障子４が図１に示す開口開放位置と図２に示す開口閉鎖位置との間において気流に基づいて前後方向Ｘに移動自在な状態の窓開閉装置１を示している。
【００１７】
窓枠２は、鉛直方向Ｖで互いに対向する上枠１２及び下枠１３並びに横方向Ｙで互いに対向する一対の縦枠１４を有している。上枠１２、下枠１３並びに一対の縦枠１４が障子４に当接する部位には、障子４に当接するシール部材が装着されている。一対の縦枠１４は、夫々互いに同様に形成されているので、一対の縦枠１４のうちの一方についての詳細な説明を省略する。
【００１８】
連結機構１８及び１９を介して窓枠２に装着されている障子４は、ガラス板等からなる矩形状の障子本体２１、上框２２、下框２３並びに一対の縦框２４を有している。一対の縦框２４は横方向Ｙにおいて互いに対向している。障子本体２１の周囲は、上框２２、下框２３並びに一対の縦框２４によって覆われている。一対の縦框２４は、夫々互いに同様に形成されているので、一対の縦枠２４のうちの一方についての詳細な説明を省略する。障子４は、開口開放位置において静止した状態となり、建物外７側から建物内８側に向かう気流に基づく後方移動により、開口３を狭めたり、気流に基づく前方移動により開口３を拡げたりするようになっている。部位３１に対して鉛直方向Ｖにおいて異なる位置、本例では部位３１に対して鉛直方向Ｖにおいて下方に位置する障子４の部位３３は、障子４の重心Ｇと同位置に配されていてもよいが、本例では、重心Ｇに対して上方であって建物外７側に位置している。部位３１は上框２２側において一対の縦框２４の夫々に配置されており、部位３３は上框２２及び下框２３間において一対の縦框２４の夫々に配されている。
【００１９】
連結機構１８は、一端が縦框２４の上框２２側に位置する障子４の部位３１に回転自在に連結されていると共に他端が縦枠１４に回転自在に連結されており、障子４の前後方向Ｘにおける移動に伴って回動を生じる回動部材としての回動アーム４１を具備している。
【００２０】
連結機構１９は、例えば図３及び図４に示すように、障子の部位３３及び窓枠２の夫々に回転自在に連結されている回動自在な第一の連結部材としての連結アーム５１と、連結アーム５１の回動に伴う窓枠２に対する揺動を案内するように窓枠２に設けられている案内路７１と、連結アーム５１の回動に伴って回動を生じるように、連結アーム５１の障子４に対する回転軸心Ｃ１及び窓枠２に対する回転軸心Ｃ２間の部位５２並びに当該部位５２に対して鉛直方向Ｖにおいて回転軸心Ｃ１側に位置する窓枠２の他の部位１６の夫々に回転自在に連結されている第二の連結部材としての連結アーム６１とを具備している。
【００２１】
連結アーム５１は、その一端が縦框２４の部位３３に横方向Ｙに伸びる水平軸としての回転軸心Ｃ１を中心として回転自在に連結されており、その他端が部位３３に対して鉛直方向Ｖにおいて異なる位置、本例では部位３３に対して鉛直方向Ｖにおいて上方の位置に存する縦枠１４の部位１５に案内路７１を介して横方向Ｙに伸びる水平軸としての回転軸心Ｃ２を中心として回転自在に連結されている。回転軸心Ｃ１は、回転軸心Ｃ２に対して下方に位置する。連結アーム５１の一端は、当該連結アーム５１の他端に対して建物外７側に配されている。連結アーム５１がＲ１方向に回動する場合には、連結アーム５１の一端は横方向Ｙ及び鉛直方向Ｖに直交する前後方向Ｘにおいて当該連結アーム５１の他端から離反し、連結アーム５１の他端は鉛直方向Ｖにおいて案内路７１に沿って下方に向かって移動する。また、連結アーム５１がＲ２方向に回動する場合には、連結アーム５１の一端は前後方向Ｘにおいて当該連結アーム５１の他端に接近し、連結アーム５１の他端は鉛直方向Ｖにおいて案内路７１に沿って上方に向かって移動する。
【００２２】
案内路７１は、縦枠１４に形成された鉛直方向Ｖに伸びた長孔又はスリット、本例では長孔からなる。案内路７１には、連結アーム５１の他端が軸体７２を介して回転軸心Ｃ２を中心として回転自在に配されており、軸体７２を介して連結アーム５１の他端を回転軸心Ｃ２及びＣ４を通る線上において鉛直方向Ｖに直動案内するようになっている。尚、直動により軸体７２が案内路７１の下端に到達した場合には、連結アーム５１のＲ１方向の回動は禁止され、これにより、障子４の開口開放位置に向かう前方移動も禁止されるようになっていてもよく、また、直動により軸体７２が案内路７１の上端に到達した場合には、連結アーム５１のＲ２方向の回動は禁止され、これにより、障子４の開口閉鎖位置に向かう後方移動も禁止されるようになっていてもよい。
【００２３】
連結アーム６１は、その一端が連結アーム５１に横方向Ｙに伸びる水平軸としての回転軸心Ｃ３を中心として回転自在に連結されており、その他端が縦枠１４に横方向Ｙに伸びる水平軸としての回転軸心Ｃ４を中心として回転自在に連結されている。回転軸心Ｃ４は、回転軸心Ｃ２に対して下方に位置する。連結アーム６１の一端は、当該連結アーム６１の他端に対して建物外７側に配されている。連結アーム６１がｒ１方向に回動する場合には、連結アーム６１の一端は前後方向Ｘにおいて当該連結アーム６１の他端から離反する。また、連結アーム６１がｒ２方向に回動する場合には、連結アーム６１の一端は前後方向Ｘにおいて当該連結アーム６１の他端に接近する。
【００２４】
縦枠１４には、板状体２５が固着されており、板状体２５には、案内路７１が形成されていると共に回動アーム４１の他端、連結アーム５１の他端及び連結アーム６１の他端が夫々回転自在に連結されている。
【００２５】
連結アーム６１の他端には、連結アーム６１の回動に基づいてｒ１方向及びｒ２方向に回動する後述の回動部６２が一体的に設けられている。回動部６２は、回転軸心Ｃ４に対して建物内８側に位置するように当該回転軸心Ｃ４から離反している。
【００２６】
回転軸心Ｃ３から回転軸心Ｃ４までの長さと回転軸心Ｃ２から回転軸心Ｃ３までの長さとの比は、回転軸心Ｃ２から回転軸心Ｃ３までの長さと回転軸心Ｃ１から回転軸心Ｃ３までの長さとの比と等しい。
【００２７】
斯かる連結機構１９は、障子４による開口３の開閉に伴い、障子４の部位３３に前後方向Ｘにおいて所謂近似平行運動（スコットラッセル近似平行運動（Ｓｃｏｔｔ  Ｒｕｓｓｅｌｌ’ｓ  ｐａｒａｌｌｅｌ  ｍｏｔｉｏｎ））を行わせ得る。回転軸心Ｃ２から回転軸心Ｃ３までの長さ及び回転軸心Ｃ１から回転軸心Ｃ３までの長さは、本例では互いに等しくなっており、これにより、障子４による開口３の開閉に伴い、障子４の部位３３に前後方向Ｘにおいて厳正直線運動を行わせ得る。連結アーム５１の一端、特に当該一端に位置する回転軸心Ｃ１は、障子４が前後方向Ｘに移動する場合において、回転軸心Ｃ１及びＣ４を通る前後方向Ｘに伸びる線上で厳正直線運動を行い、これにより、連結アーム５１に連結されている障子４の部位３３もまた前記線上で厳正直線運動を行う。回転軸心Ｃ３から回転軸心Ｃ４までの長さは、回転軸心Ｃ２から回転軸心Ｃ３までの長さ及び回転軸心Ｃ１から回転軸心Ｃ３までの長さと等しくてもよい。
【００２８】
開閉操作機構２０は、例えば図３から図５並びに図７の（ａ）及び（ｂ）に示すように、連結アーム６１に設けられていると共に、連結アーム６１のｒ２方向の回動に基づいて前後方向Ｘにおいて前方側（建物外７側）に変位するようにｒ２方向に回動する一方、連結アーム６１のｒ１方向の回動に基づいて前後方向Ｘにおいて後方側（建物内８側）に変位するようにｒ１方向に回動する回動部６２と、操作により回動部６２に対して鉛直方向Ｖに移動する上下動部材６３と、前後方向Ｘにおいて後方側に変位した回動部６２に対して上下動部材６３の鉛直方向Ｖの下方に向かう移動に基づいて当接するように上下動部材６３に設けられた当接部６５と、当接部６５に対して前後方向Ｘにおいて前方側に位置するように上下動部材６３に設けられていると共に前後方向Ｘにおいて前方側に変位した回動部６２のｒ１方向及びｒ２方向の回動を禁止すべく上下動部材６３の下方に向かう移動に基づいて当該回動部６２に係合する係合部６８と、前後方向Ｘにおいて前方側に変位した回動部６２に上下動部材６３の鉛直方向Ｖの移動に基づいて当接する一方、前後方向Ｘにおいて後方側に変位した回動部６２に対して前後方向Ｘにおいて離反するように上下動部材６３にｒ３方向及びｒ４方向に回転自在に設けられた爪車６４と、上下動部材６３の鉛直方向Ｖにおける移動に基づいて障子４に開口３を開閉させるべく、操作により上下動部材６３を鉛直方向Ｖに移動させる移動操作機構６７とを具備している。
【００２９】
回動部６２は、連結アーム６１の他端に位置する回転軸心Ｃ４に対して建物内８側に位置するピンからなり、このピンが当接部６５及び爪車６４に当接し、係合部６８に係合する。連結アーム６１は、その他端から前記ピンまで延長された部位を有しており、斯かる部位において前記ピンを支持している。回動部６２は、回転軸心Ｃ４に対して建物内８側においてｒ１方向及びｒ２方向に回動するように配されている。回動部６２は、回転軸心Ｃ４を中心とする連結アーム６１のｒ１方向の回動において上方に向かって揺動しながら前後方向Ｘにおいて後方側に変位する一方、連結アーム６１のｒ２方向の回動において下方に向かって揺動しながら前後方向Ｘにおいて前方側に変位する。
【００３０】
上下動部材６３は、鉤状本体７５と、鉤状本体７５が装着されていると共に後述の案内部８５に鉛直方向Ｖに案内されるように案内部８５において案内溝８８に鉛直方向Ｖに移動自在に嵌合しているスライダ７６とを具備している。鉤状本体７５には、図７の（ａ）に示す所定回転位置にある爪車６４のｒ３方向の回転を禁止するように爪車６４に当接して当該爪車６４を支持する支持部７７が形成されている。支持部７７は鉤状本体７５から突出した突部からなる。
【００３１】
当接部６５は、鉤状本体７５の建物内８側に位置する先端部からなり、係合部６８は、鉤状本体７５に形成されている凹所からなる。当接部６５と係合部６８は互いに隣接しており、当接部６５は係合部６８に対して前後方向Ｘにおいて後方側に配されている。当接部６５は下方に向かって凸状であり、係合部６８は下方に向かって凹状である。係合部６８は、上下動部材６３の下方に向かう移動において係合した回動部６２の回動を禁止するようになっている。
【００３２】
爪車６４は、鉤状本体７５に回転自在に取り付けられている。例えば図７の（ａ）に示すように所定回転位置にある爪車６４の先端は、前後方向Ｘにおいて後方側に位置しており、前後方向Ｘにおいて当接部６５に対して若干前方側に配されている。爪車６４は、その自重によりｒ３方向の回転モーメントを生じるように前後方向Ｘにおいて後方側に伸びて上下動部材６３に回転自在に取り付けられており、所定回転位置において支持部７７に支持される。所定回転位置にある爪車６４は、鉛直方向Ｖにおいて係合部６８に対して対向して配されていると共に当接部６５に対して回動部６２が通過することができる程度の鉛直方向Ｖにおける間隔をもって配されている。尚、開閉操作機構２０は、上下動部材６３の下方に向かう移動に基づいて、当該爪車６４の下方に位置する回動部６２に当接することによってｒ４方向に回転する爪車６４の当該回転に抗して当該爪車６４を所定回転位置に復帰させるべくｒ３方向に付勢するコイルばね等からなる付勢部材（図示せず）を具備していてもよい。
【００３３】
斯かる爪車６４は、当該爪車６４に対して上方に位置していると共に前後方向Ｘにおいて前方側に変位した状態の回動部６２に対して、上下動部材６３の上方に向かう移動に基づいて当該爪車６４の上側の面７８で係合部６８から抜出された回動部６２に当接する。回動部６２に対する面７８の当接においては当該爪車６４が支持部７７に支持されてそのｒ３方向の回転が禁止されているので、回動部６２は、上下動部材６３の更なる上昇により爪車６４の面７８に前後方向Ｘにおいて後方側に案内される。回動部６２が面７８に案内されながら前後方向Ｘにおいて後方側に向かって移動する際には、連結アーム６１はｒ１方向に回動する。また、爪車６４は、当該爪車６４に対して下方に位置している回動部６２に対して上下動部材６３の下方に向かう移動に基づいて当該爪車６４の下側の面７９で前後方向Ｘにおいて前方側に変位した状態の回動部６２に当接する。回動部６２に対する面７９の当接においては当該爪車６４がｒ４方向に回転自在な状態にあるので、爪車６４は、上下動部材６３の更なる下降により回動部６２に押し上げられながらｒ４方向に回転することで回動部６２に対する上下動部材６３の下方に向かう移動を許容し、回動部６２は係合部６８に向かって上方に移動する。
【００３４】
移動操作機構６７は、上下動部材６３が固着されていると共に窓枠２に沿って配設されている可撓性を有した長尺体としてのチェーン部材８１と、チェーン部材８１を鉛直方向Ｖに案内する案内部材８２と、チェーン部材８１を走行させる走行手段８３とを具備している。
【００３５】
案内部材８２は、鉛直方向Ｖに伸びて縦枠１４に装着された案内部８５と、横方向Ｙに伸びて下枠１３に装着された案内部８６と、案内部８５及び８６を連結している湾曲案内部８７とを具備しており、案内部８５及び８６並びに湾曲案内部８７によってチェーン部材８１が走行自在に配された案内溝８８を形成している。チェーン部材８１の一端はスライダ７６に装着されており、スライダ７６は案内部８５において案内溝８８に鉛直方向Ｖに移動自在に嵌合されている。
【００３６】
走行手段８３は、例えば図５に示すように、チェーン部材８１の他端に連結されたロッド９１と、ロッド９１に歯車機構９２を介して連結している回転軸９３とを具備している。回転軸９３は、ハンドル９４が着脱自在に形成されていてもよく、また、電動モータの出力回転軸等の駆動源の出力部（図示せず）が連結されるように形成されていてもよい。斯かる走行手段８３は、操作等により回転軸９３に回転力が入力されると、当該回転軸９３の回転を歯車機構９２を介してロッド９１に横方向Ｙの移動力として伝達して当該ロッド９１を横方向Ｙに移動させ、而して、チェーン部材８１を案内溝８８に沿って走行させるようになっている。
【００３７】
以上の窓開閉装置１による窓開閉操作について以下説明する。まず、障子４が図２に示すように開口閉鎖位置にある場合において、例えばハンドル９４を回転軸９３に装着し、このハンドル９４の操作により回転軸９３を回転させてチェーン部材８１をＡ方向に走行させ、上下動部材６３を上方に移動させて図７の（ａ）に示すように回動部６２を係合部６８から抜出させて当該係合部６８と回動部６２との係合を解除する。
【００３８】
係合部６８との係合が解除された回動部６２は、ｒ１方向及びｒ２方向に回動自在になると共に図７の（ａ）に示すように所定回転位置にある爪車６４の面７８に当接し、上下動部材６３の更なる上昇により回転軸心Ｃ４よりも建物内８側においてｒ１方向の回動を生じながら面７８に前後方向Ｘにおいて後方側に案内され、前後方向Ｘにおいて前方側から後方側に変位して図７の（ａ）に示すように当接部６５の下方に配される。この際、連結アーム６１は回動部６２と共にｒ１方向に回動するために当該ｒ１方向の回動が連結アーム５１を介して障子４に伝達され、而して、障子４は、開口閉鎖位置から開口開放位置に向かって強制的に移動され、回動部６２が鉛直方向Ｖにおいて当接部６５の下方に配された際に開口開放位置に配される。
【００３９】
回動部６２が鉛直方向Ｖにおいて当接部６５の下方に配されると、回動部６２は爪車６４から離反してｒ２方向に回動自在な状態となり、これにより、開口開放位置にある障子４の部位３３は気流に基づいて開口閉鎖位置に向かって後方移動可能な状態となる。また、当接部６５の下方に配された回動部６２がｒ２方向に回動した場合には、当該回動部は当接部６５に当接する位置までｒ１方向に回動自在な状態となり、これにより、気流に基づいて開口開放位置から開口閉鎖位置に向かって移動した状態の障子４は、その自重により又は気流に基づいて開口開放位置に向かって前方移動可能な状態となる。このように、上下動部材６３の上昇により回動部６２が鉛直方向Ｖにおいて当接部６５の下方に配された場合には、障子４は図１及び図６に示すように気流に基づいて開口３に対して開閉移動な状態となる。図１に示す開口開放位置に配された障子４は静止し、建物外７から建物内８に向かう気流の強まりに応じて開口閉鎖位置に向かって後方移動し、当該気流の弱まりに応じて開口開放位置に向かって前方移動する。本例では、回転軸心Ｃ１は、障子４が開口開放位置に配された場合には重心Ｇと鉛直方向Ｖに伸びる線上に位置するように配されていてもよい。図１に示す状態において、移動操作機構６７の操作により上下動部材６３を回動部６２に対して下方に向かって移動させて当接部６５の回動部６２に対する鉛直方向Ｖにおける位置を調節することにより障子４による開口３の最大開放幅を所望に強制的に狭めることができる。尚、当接部６５は、上下動部材６３が回動部６２に対して上方に向かって移動されることにより、図１に示す開口開放位置にある障子４の更なる前方移動を許容するように配され得るが、障子４に過度な前方移動が生じる場合には当該障子４の前方移動が禁止されるように軸体７２が案内路７１の下端に到達するように形成されているのが望ましい。
【００４０】
障子４が図１及び図６に示すように開口３に対して開閉移動可能な状態にある場合において、例えばハンドル９４を回転軸９３に装着し、このハンドル９４の操作により回転軸９３を回転させてチェーン部材８１をＢ方向に走行させ、上下動部材６３を下降させることにより、回動部６２は図７の（ｂ）に示すように爪車６４の面７９に当接し、当該爪車６４を押し上げながらｒ４方向に回転させ、係合部６８に係合される。回動部６２に押し上げられながらｒ４方向に回転した爪車６４は、鉛直方向Ｖにおいて当該爪車６４の上方に位置し且つ係合部６８に係合された回動部６２から離反し、自重により又はコイルばね等からなる付勢部材による付勢によりｒ３方向に回転し、支持部７７に支持されて所定回転位置に復帰する。障子４は、回動部６２のｒ２方向の回動が連結アーム５１を介して伝達されるので、開口開放位置から開口閉鎖位置に向かって後方移動し、回動部６２が鉛直方向Ｖにおいて係合部６８に対して下方に配された際には開口閉鎖位置に配される。尚、障子４が図１に示す開口開放位置にある場合には、上下動部材６３を下降させることにより、鉛直方向Ｖにおいて当接部６５の下方に位置する回動部６２に当該当接部６５を当接させ、当該回動部６２を押し下げながらｒ２方向に回動させて、前後方向Ｘにおいて前方側に変位させると共に係合部６８に接近させ、而して、係合部６８に係合させることができる。
【００４１】
本例の開閉操作機構２０は、上述の構成に加えて、例えば図８の（ａ）及び（ｂ）に示すように、当接部６５に対して回動部６２の鉛直方向Ｖに関する揺動を許容する揺動許容幅をもって離反して配されていると共に回動部６２に対して上下動部材６３の上方に向かう移動に基づいて当接するように上下動部材６３に設けられた当接部６６を具備していてもよい。当接部６６は、鉤状本体７５の建物外７側に位置する後端部から前後方向Ｘにおいて後方に突出した突出部からなり、鉛直方向Ｖにおいて当接部６５及び係合部６８に対して対向して配されている。当接部６６は、回動部６２、当接部６５、係合部６８及び爪車６４に対して下方に配されている。前記揺動許容幅は、鉛直方向Ｖにおける当接部６５から当接部６６までの幅を意味し、本例では、障子４が開口開放位置から開口閉鎖位置まで開閉移動する際に回動部６２が鉛直方向Ｖにおいて揺動する揺動幅と同等の幅であるか又はそれ以上の幅を有している。斯かる当接部６６を具備した開閉操作機構２０は、図１及び図６に示す状態と同様に、回動部６２がｒ１方向及びｒ２方向に回動自在な状態にある場合において、図８の（ｂ）に示すように、上下動部材６３を回動部６２に対して上昇させて当接部６６の回動部６２に対する鉛直方向Ｖにおける位置を調節することにより障子４による開口３の最大閉鎖幅を所望に強制的に狭めることができる。
【００４２】
尚、本例の窓開閉装置１は、障子４に固着されていると共に障子４が開口閉鎖位置にある際に上下動部材６３に設けられた突部（図示せず）と、この突部に嵌合する嵌合凹所を有していると共に当該嵌合凹所において前記突部に嵌合して障子４の開口開放位置に向かう前方移動を禁止するように障子４に設けられた禁止部材（図示せず）とを更に具備していてもよい。
【００４３】
本例の窓開閉装置１によれば、建物に装着される枠体としての窓枠２と、窓枠２に画成された開口３に配されていると共に当該開口３を開閉する障子４と、障子４が開口３を開閉自在となるように、鉛直方向Ｖにおける障子４の一方側の部位３１を窓枠２に対して回転自在に連結している第一の連結機構１８と、鉛直方向Ｖにおける障子４の他方側の部位３３を前後方向Ｘにおいて移動自在に窓枠２に対して連結している第二の連結機構１９と、連結機構１９を介して障子４による開口３の開閉を操作する開閉操作機構２０とを具備しており、連結機構１９は、鉛直方向Ｖにおける障子４の他方側の部位３１及び窓枠２の夫々に回転自在に連結されている回動自在な第一の連結部材としての連結アーム５１と、連結アーム５１のＲ１方向及びＲ２方向の回動に伴う窓枠２に対する揺動を案内するように窓枠２に設けられている案内路７１と、連結アーム５１の回動に伴ってｒ１方向及びｒ２方向の回動を生じるように、連結アーム５１の障子４に対する回転軸心Ｃ１及び窓枠２に対する回転軸心Ｃ２間の部位５２並びに当該部位５２に対して鉛直方向Ｖにおいて回転軸心Ｃ１側に位置する窓枠２の他の部位１６の夫々に回転自在に連結されている第二の連結部材としての連結アーム６１とを具備しており、開閉操作機構２０は、連結アーム６１に設けられていると共に、連結アーム６１のｒ２方向の回動に基づいて前後方向Ｘにおいて前方側に変位するようにｒ２方向に回動する一方、連結アーム６１のｒ１方向の回動に基づいて前後方向Ｘにおいて後方側に変位するようにｒ１方向に回動する回動部６２と、操作により回動部６２に対して鉛直方向Ｖに移動する上下動部材６３と、前後方向Ｘにおいて後方側に変位した回動部６２に対して上下動部材６３の鉛直方向Ｖの下方の移動に基づいて当接するように上下動部材６３に設けられた当接部６５と、当接部６５に対して前後方向Ｘにおいて前方側に位置するように上下動部材６３に設けられていると共に前後方向Ｘにおいて前方側に変位した回動部６２のｒ１方向及びｒ２方向の回動を禁止すべく上下動部材６３の鉛直方向Ｖの下方の移動に基づいて当該回動部６２に係合する係合部６８と、前後方向Ｘにおいて前方側に変位した回動部６２に上下動部材６３の鉛直方向Ｖの移動に基づいて当接する一方、前後方向Ｘにおいて後方側に変位した回動部６２に対して前後方向Ｘにおいて離反するように上下動部材６３に回転自在に設けられた爪車６４とを具備しており、爪車６４は、前後方向Ｘにおいて前方側に変位した回動部６２を前後方向Ｘにおいて後方側に案内すべく当該回動部６２に対する上下動部材６３の鉛直方向Ｖの上方の移動に基づく当接においてはｒ３方向の回転が禁止される一方、前後方向Ｘにおいて前方側に変位した回動部６２に対する上下動部材６３の鉛直方向Ｖの下方の移動を許容すべく当該回動部６２に対する上下動部材６３の鉛直方向Ｖの下方の移動に基づく当接においてはｒ４方向に回転するように上下動部材に設けられているために、上下動部材６３を鉛直方向Ｖの上方に移動させて回動部６２と係合部６８との係合を解除することで、気流に基づく障子４による開口３の開閉を自在な状態にすることができ、しかも、上下動部材６３を鉛直方向Ｖの下方に移動させて当接部６５を変位させることで、気流に基づく障子４による開口３の開閉幅を所望幅に調節することができ、また、気流に基づく障子４による開口３の開閉と、障子４の位置を保持することによる開口３の強制的な閉鎖とを操作により切り替えることができる。
【００４４】
窓開閉装置１によれば、当接部６５に対して回動部６２の鉛直方向Ｖに関する揺動を許容する揺動許容幅をもって配されていると共に回動部６２に対して上下動部材６３の鉛直方向Ｖの上方の移動に基づいて当接するように上下動部材６３に設けられた他の当接部６６を具備しており、爪車６４は、当接部６５及び６６間に配設されている場合には、操作により上下動部材６３を鉛直方向Ｖに移動させて回動部６２を当接部６５及び６６間に位置させることで、当該回動部６２の鉛直方向Ｖにおける揺動許容幅の範囲内における揺動を許容して障子４の移動を許容することができ、また、上下動部材６３を鉛直方向Ｖの上方に移動させて他の当接部６６を変位させることで、気流に基づく障子４による開口３の開閉幅を所望幅に調節することができ、加えて、上下動部材６３を鉛直方向Ｖの下方に移動させて当接部６５を変位させることで障子４による開口３の最大開放幅を所望に強制的に狭めることができ且つ上下動部材６３を鉛直方向Ｖの上方に移動させて他の当接部６６を変位させることで障子４による開口３の最大閉鎖幅を所望に強制的に狭めることができ、また、気流に基づく障子４による開口３の開閉と、障子４の位置を保持することによる開口３の強制的な開放とを操作により切り替えることができる。
【００４５】
窓開閉装置１によれば、開閉操作機構２０は、上下動部材６３の鉛直方向Ｖにおける移動に基づいて障子４に開口３を開閉させるべく、操作により上下動部材６３を鉛直方向Ｖに移動させる移動操作機構６７とを具備しており、移動操作機構６７は、上下動部材６３が固着されていると共に窓枠２に沿って配設されている可撓性を有した長尺体としてのチェーン部材８１と、チェーン部材８１を鉛直方向Ｖに案内する案内部材８２と、チェーン部材８１を走行させる走行手段８３とを具備しているために、移動操作機構６７を窓枠２から突出させることなく配設し得る。
【符号の説明】
【００４６】
１  窓開閉装置
２  窓枠
３  開口
４  障子
７  建物外
８  建物内
１５、１６、３１、３３、５２  部位
１８、１９  連結機構
２０  開閉操作機構
５１、６１  連結アーム
６２  回動部
６３  上下動部材
６４  爪車
６５、６６  当接部
６７  移動操作機構
６８  係合部
７１  案内路
【図１】
2010196418.tif 000003
【図２】
2010196418.tif 000004
【図３】
2010196418.tif 000005
【図４】
2010196418.tif 000006
【図５】
2010196418.tif 000007
【図６】
2010196418.tif 000008
【図７】
2010196418.tif 000009
【図８】
2010196418.tif 000010